(57)【要約】【課題】表示画面の表示スペースをそれほど圧迫することなく、外部の座標指定装置を用いたユーザの文字入力をより効率的にする表示制御装置を実現する。【解決手段】押下キー判定部２０は、テーブル６１に基づいて、３本の指の座標指定装置に対する接触点に応じた３つの座標値の各々について、座標値に対応する文字を特定する。押下キー表示制御部２２は、特定した文字の操作キーの像を含む画像をキーボード画像から切り出して表示する。【選択図】図１
2014011589.tif 000002
【特許請求の範囲】
【請求項１】
外部の座標指定装置から、該座標指定装置の入力面に対する複数の接触点の各位置に応じた複数の座標値の受信を待ち受ける待受手段と、
上記待受手段が上記複数の座標値を受信したときに、キーボード画像の一部を表す部分画像であって、該複数の座標値の各々について該座標値に対応する文字の操作キーの像をいずれかの部分画像が含んでいる１枚以上の部分画像を表示画面に表示する表示制御手段と、を備えている、ことを特徴とする表示制御装置。
【請求項２】
上記表示制御手段は、各操作キーの像を含む画像として、各操作キーについて該操作キーの像と上記キーボード画像内で該操作キーに隣接する各操作キーの像とを含む画像を表示する、ことを特徴とする請求項１に記載の表示制御装置。
【請求項３】
上記表示制御手段は、上記複数の座標値が示す各座標間の距離が所定の閾値未満である場合には、各操作キーの像を含む１枚の部分画像を上記キーボード画像から切り出して表示する、ことを特徴とする請求項１または２に記載の表示制御装置。
【請求項４】
上記表示制御手段は、上記複数の座標値が示す各座標のうちいずれか２つの座標間の距離が所定の閾値以上である場合には、該複数の座標値の各々について、該座標値に対応する操作キーの像を含む１枚の部分画像を上記キーボード画像から切り出して表示する、ことを特徴とする請求項１から３のいずれか１項に記載の表示制御装置。
【請求項５】
上記表示制御手段は、上記座標値を受信する度に、該座標値に対応する操作キーの像を含む１枚の部分画像を上記キーボード画像から切り出して表示する、ことを特徴とする請求項４に記載の表示制御装置。
【請求項６】
上記座標指定装置における接触点の個数を検出する第１検出手段と、
入力イベントを発行する発行手段と、を備え、
上記発行手段は、上記第１検出手段が接触点を第１の個数だけ検出している間は、上記表示制御手段は上記部分画像を表示せず、上記発行手段は、上記入力イベントとしてマウスイベントを発行するように構成されている、ことを特徴とする請求項１から５のいずれか１項に記載の表示制御装置。
【請求項７】
上記座標指定装置における各物体の接触点の移動を検出する第２検出手段を備え、
上記第１検出手段が接触点を第１の個数だけ検出している間に上記第２検出手段が上記座標指定装置に直近で接触した物体の移動を検出した場合、上記発行手段は、該物体の移動量および移動方向に応じたマウスの移動イベントを発行する、ことを特徴とする、請求項６に記載の表示制御装置。
【請求項８】
上記第１検出手段が接触点を第１の個数だけ検出している間に上記座標指定装置に接触した物体の接触点からのリリースを検出した場合、上記発行手段は、該接触点の座標値に応じた位置のクリックイベントを発行する、ことを特徴とする、請求項６または７に記載の表示制御装置。
【請求項９】
上記第１検出手段が接触点を第２の個数だけ検出している場合に、上記表示制御手段は、上記複数の座標値の各々について該座標値に対応する文字を特定し、特定した各文字の操作キーの像とその他の各操作キーの像とが異なる態様で表示されるように上記キーボード画像を表示する、ことを特徴とする請求項６から８のいずれか１項に記載の表示制御装置。
【請求項１０】
上記座標指定装置にはキーボードの絵柄が示されており、
上記座標指定装置は、上記キーボードの絵柄に向けて光を照射する発光部を備えており、
上記表示制御装置は、上記第１検出手段が検出している接触点の個数が第１の個数未満である間は上記発光部から光を照射し、上記第１検出手段が検出している接触点の個数が第１の個数以上である間は上記発光部から光を照射しないよう、上記座標指定装置を制御する発光制御手段をさらに備えている、ことを特徴とする、請求項６から９のいずれか１項に記載の表示制御装置。
【請求項１１】
座標指定装置と、表示制御装置と、を含む表示制御システムであって、
上記座標指定装置は、
自装置の入力面に接触した物体の接触を検出する検出手段と、
上記検出手段が接触を検出した場合に接触点の位置に応じた座標値を上記表示制御装置に送信する送信手段と、を備え、
上記表示制御装置は、
上記座標値の受信を待ち受ける待受手段と、
上記待受手段が複数の上記座標値を受信したときに、キーボード画像の一部を表す部分画像であって、該複数の座標値の各々について該座標値に対応する文字の操作キーの像をいずれかの部分画像が含んでいる１枚以上の部分画像を表示画面に表示する表示制御手段と、を備えている、ことを特徴とする表示制御システム。
【請求項１２】
外部の座標指定装置から、該座標指定装置の入力面に対する複数の接触点の各位置に応じた複数の座標値の受信を待ち受ける待受工程と、
上記待受工程にて上記複数の座標値を受信したときに、キーボード画像の一部を表す部分画像であって、該複数の座標値の各々について該座標値に対応する文字の操作キーの像をいずれかの部分画像が含んでいる１枚以上の部分画像を表示画面に表示する表示制御工程と、を含んでいる、ことを特徴とする表示制御装置の表示制御方法。
【請求項１３】
請求項１から１０のいずれか１項に記載の表示制御装置としてコンピュータを動作させる表示制御プログラムであって、コンピュータを上記各手段として機能させるための表示制御プログラム。
【請求項１４】
請求項１３に記載の表示制御プログラムが記録されているコンピュータ読み取り可能な記録媒体。
【発明の詳細な説明】
【技術分野】
【０００１】
本発明は、キーボードの全体または一部を模した画像を表示画面に表示する表示制御装置および表示制御方法に関する。また、本発明は、そのような表示制御装置としてコンピュータを動作させる表示制御プログラム、および、そのような表示制御プログラムが記録されている記録媒体に関する。
【背景技術】
【０００２】
近年、スマートフォンやタブレット等の携帯情報端末が急速に普及して来ている。
【０００３】
スマートフォンやタブレット等の携帯情報端末は、一般的には、タッチスクリーンを備え、タッチスクリーン上にソフトウェアキーボードを表示可能である。ユーザは、ソフトウェアキーボードをタッチすることで文字を入力することができる。
【０００４】
しかしながら、一般的に、ソフトウェアキーボードはアルファベットキーや数字キー等多くのキーを備えているため、ソフトウェアキーボードを用いた文字の入力時には、タッチスクリーン内のかなりのスペースがソフトウェアキーボードに占有されてしまうという問題があった。
【０００５】
また、文字入力中の操作者は、自身の指によりソフトウェアキーボード内の入力しようとする文字に対応するキーが隠れてしまうため、効率良く文字を入力できないという問題点があった。
【０００６】
特許文献１および特許文献２には、効率良く文字を入力するための技術が開示されている。
【０００７】
具体的には、特許文献１には、ユーザが手元のリモコンのキーを見なくてもディスプレイを見て自分の指の動きを視覚フィードバックによって確認しながら操作できるコンピュータが開示されている。
【０００８】
また、特許文献２には、仮想キーボード上のタッチが生じた位置の周辺にある複数個のキーを拡大表示するタッチスクリーン装置が開示されている。
【先行技術文献】
【特許文献】
【０００９】
【特許文献１】特開２００２−２４４７９１号公報（２００２年８月３０日公開）
【特許文献２】特開２０１１−２１６０９４号公報（２０１１年１０月２７日公開）
【発明の概要】
【発明が解決しようとする課題】
【００１０】
しかしながら、上記特許文献２の発明は、キーボード全体をタッチスクリーン上に表示するため、表示スペースを圧迫するという問題を解決できていない。
【００１１】
また、上記特許文献１の発明もリモコン全体をディスプレイに表示するため、表示スペースを圧迫するという問題を解決できていない。
【００１２】
本発明は、上記の問題点に鑑みてなされたものであり、その主な目的は、表示画面の表示スペースをそれほど圧迫することなく、外部の座標指定装置を用いたユーザの文字入力をより効率的にする表示制御装置を実現することにある。
【課題を解決するための手段】
【００１３】
本発明に係る表示制御装置は、上記課題を解決するために、外部の座標指定装置から、該座標指定装置に接触した各物体の接触点の位置を示す複数の座標値の受信を待ち受ける待受手段と、上記待受手段が上記複数の座標値を受信したときに、キーボード画像の一部を表す部分画像であって、該複数の座標値の各々について該座標値に対応する文字の操作キーの像をいずれかの部分画像が含んでいる１枚以上の部分画像を表示画面に表示する表示制御手段と、を備えている、ことを特徴としている。
【００１４】
上記の構成によれば、本発明に係る表示制御装置は、ユーザが外部の座標指定装置に複数の指を接触させた場合に、各指を接触点から離すことにより表示制御装置に入力される文字群をユーザに認識させることができる。また、本発明に係る表示制御装置は、キーボード画像全体を表示しないため、表示画面の表示スペースをそれほど圧迫することなく、入力される文字群をユーザに認識させることができる。
【００１５】
以上のように、本発明に係る表示制御装置は、表示画面の表示スペースをそれほど圧迫することなく、外部の座標指定装置を用いたユーザの文字入力をより効率的にすることが可能である。特に、本発明に係る表示制御装置は、表示画面がユーザの鞄の外（視界内）にあり外部の座標指定装置が鞄の中に仕舞ってある状態でユーザが手探りで文字入力を行う場合であっても、ユーザに効率的に文字入力をさせることができる。
【００１６】
本発明に係る、表示制御装置の表示制御方法は、上記課題を解決するために、外部の座標指定装置から、該座標指定装置の入力面に対する複数の接触点の各位置に応じた複数の座標値の受信を待ち受ける待受工程と、上記待受工程にて上記複数の座標値を受信したときに、キーボード画像の一部を表す部分画像であって、該複数の座標値の各々について該座標値に対応する文字の操作キーの像をいずれかの部分画像が含んでいる１枚以上の部分画像を表示画面に表示する表示制御工程と、を含んでいる、ことを特徴としている。
【００１７】
上記の構成によれば、本発明に係る表示制御方法は、本発明に係る表示制御装置と同様の作用効果を奏する。
【００１８】
なお、本発明に係る表示制御装置は、上記表示制御手段が、各操作キーの像を含む画像として、各操作キーについて該操作キーの像と上記キーボード画像内で該操作キーに隣接する各操作キーの像とを含む画像を表示する、ことが望ましい。
【００１９】
また、本発明に係る表示制御装置は、上記表示制御手段が、上記複数の座標値が示す各座標間の距離が所定の閾値未満である場合には、各操作キーの像を含む１枚の部分画像を上記キーボード画像から切り出して表示する、ことが望ましい。
【００２０】
さらに、本発明に係る表示制御装置は、上記表示制御手段が、上記複数の座標値が示す各座標のうちいずれか２つの座標間の距離が所定の閾値以上である場合には、該複数の座標値の各々について、該座標値に対応する操作キーの像を含む１枚の部分画像を上記キーボード画像から切り出して表示する、ことが望ましい。
【００２１】
本発明に係る表示制御装置は、上記表示制御手段が、上記座標値を受信する度に、該座標値に対応する操作キーの像を含む１枚の部分画像を上記キーボード画像から切り出して表示する、ことが望ましい。
【００２２】
上記の構成によれば、本発明に係る表示制御装置は、ユーザが指を座標指定装置に接触させる度に、接触点からその指を離すとどの文字が入力されるかをユーザに把握させることができるというさらなる効果を奏する。
【００２３】
本発明に係る表示制御装置は、上記座標指定装置における接触点の個数を検出する第１検出手段と、入力イベントを発行する発行手段と、を備え、上記発行手段は、上記第１検出手段が接触点を第１の個数だけ検出している間は、上記表示制御手段は上記部分画像を表示せず、上記発行手段は、上記入力イベントとしてマウスイベントを発行するように構成されている、ことが望ましい。
【００２４】
上記の構成によれば、本発明に係る表示制御装置は、ユーザが上記座標指定装置を用いてマウスと同様の操作を行うことを可能にするというさらなる効果を奏する。
【００２５】
なお、本発明に係る表示制御装置は、上記座標指定装置における各物体の接触点の移動を検出する第２検出手段を備え、上記第１検出手段が接触点を第１の個数だけ検出している間に上記第２検出手段が上記座標指定装置に直近で接触した物体の移動を検出した場合、上記発行手段が、該物体の移動量および移動方向に応じたマウスの移動イベントを発行する、ことが望ましい。
【００２６】
また、本発明に係る表示制御装置は、上記第１検出手段が接触点を第１の個数だけ検出している間に上記座標指定装置に直近で接触した物体の接触点からのリリースを検出した場合、上記発行手段が、該接触点の座標値に応じた位置のクリックイベントを発行する、ことが望ましい。
【００２７】
本発明に係る表示制御装置は、上記第１検出手段が接触点を第２の個数だけ検出している場合に、上記表示制御手段が、上記複数の座標値の各々について該座標値に対応する文字を特定し、特定した各文字の操作キーの像とその他の各操作キーの像とが異なる態様で表示されるように上記キーボード画像を表示する、ことが望ましい。
【００２８】
上記の構成によれば、本発明に係る表示制御装置は、第２の個数に等しい本数の指を座標指定装置に接触させたユーザが各指をホームポジションに移動させることを容易にする、というさらなる効果を奏する。
【００２９】
上記座標指定装置にはキーボードの絵柄が示されており、上記座標指定装置は、上記キーボードの絵柄に向けて光を照射する発光部を備えており、本発明に係る表示制御装置は、上記第１検出手段が検出している接触点の個数が第１の個数未満である間は上記発光部から光を照射し、上記第１検出手段が検出している接触点の個数が第１の個数以上である間は上記発光部から光を照射しないよう、上記座標指定装置を制御する発光制御手段をさらに備えている、ことが望ましい。
【００３０】
上記の構成によれば、本発明に係る表示制御装置は、座標指定装置がキーボードとして利用できる状態にあるか否かをユーザに容易に把握させることができるというさらなる効果を奏する。
【００３１】
なお、本発明は、座標指定装置と、表示制御装置と、を含む表示制御システムであって、上記座標指定装置は、自装置の入力面に接触した物体の接触を検出する検出手段と、上記検出手段が接触を検出した場合に接触点の位置に応じた座標値を上記表示制御装置に送信する送信手段と、を備え、上記表示制御装置は、上記座標値の受信を待ち受ける待受手段と、上記待受手段が複数の上記座標値を受信したときに、キーボード画像の一部を表す部分画像であって、該複数の座標値の各々について該座標値に対応する文字の操作キーの像をいずれかの部分画像が含んでいる１枚以上の部分画像を表示画面に表示する表示制御手段と、を備えている、ことを特徴とする表示制御システムとしても実現できる。
【００３２】
また、上記表示制御装置としてコンピュータを動作させるプログラムであって、コンピュータを上記表示制御装置の各手段として機能させることを特徴とするプログラム、および、そのようなプログラムを記録した、コンピュータが読み取り可能な記録媒体も本発明の範疇に含まれる。
【発明の効果】
【００３３】
以上のように、本発明に係る表示制御装置は、表示画面の表示スペースをそれほど圧迫することなく、外部の座標指定装置を用いたユーザの文字入力をより効率的にするという効果を奏する。
【図面の簡単な説明】
【００３４】
【図１】図１は、本発明の一実施形態に係る、座標指定装置と表示制御装置（情報処理装置）とを含む表示制御システム（情報処理システム）の要部構成を示した図である。
【図２】図２は、図１の表示制御システムの外観を示した図である。
【図３】図３は、図１の座標指定装置のキーボードの絵柄が印刷された部分の外観を示した図である。
【図４】図４は、図１の座標指定装置および表示制御装置の主要部分を模式的に示した図である。
【図５】図５は、図１の表示制御装置が表示部の押下キー表示エリアに表示する画像を例示した図である。
【図６】図６は、図１の表示制御装置が表示部の押下キー表示エリアに表示する画像を例示した図である。
【図７】図７は、図１の表示制御装置が記憶しているキーボード画像データが表すキーボード画像を例示した図である。
【図８】図８は、ユーザのキー操作と、キー操作に応じた押下キー表示エリアの表示の変化と、を例示した図である。
【図９】図９は、ユーザのキー操作と、キー操作に応じた押下キー表示エリアの表示の変化と、を例示した図である。
【図１０】図１０は、ユーザのキー操作と、キー操作に応じた押下キー表示エリアの表示の変化と、を例示した図である。
【図１１】図１１は、図１の表示制御装置が表示部の押下キー表示エリアに表示する画像を例示した図である。
【図１２】図１２は、図１の表示制御システム（情報処理システム）の動作の一例を示したシーケンス図である。
【図１３】図１３は、図１の表示制御システム（情報処理システム）の動作の一例を示したシーケンス図である。
【図１４】図１４は、図１の表示制御システム（情報処理システム）の動作の一例を示したシーケンス図である。
【発明を実施するための形態】
【００３５】
本発明の一実施形態について、図１〜図１４に基づいて以下に詳細に説明する。
【００３６】
（表示制御装置１のシステム構成）
図１は、本実施の形態に係る表示制御装置１の要部構成を示すブロック図である。表示制御装置は、具体的にはパソコンやタブレットデバイスなどである。
【００３７】
なお、図１には、座標指定装置１００についても併せて示している。上記座標指定装置１００は、平面形状上のタッチ入力装置である。ユーザは、座標指定装置１００のタッチパネル面（特許請求の範囲の「入力面」に対応）に指やスタイラスペン等の物体（以降、本実施形態では「指」として説明する）を接触させることで表示制御装置１に対して各種の入力が行える。具体的には、タッチパネル面にはキーボードを模した絵柄が暗く目立たない蛍光色で印刷されており、ユーザは、操作キーを模した部分に指を接触させることで、その操作キーに対応する文字を表示制御装置１に入力することができる。また、座標指定装置１００は、キーボードを模した絵柄の部分を照らすＬＥＤのバックライトを備えている。座標指定装置１００は、バックライトをＯＮ／ＯＦＦすることにより、キー表示のＯＮ／ＯＦＦが行える。
【００３８】
また、座標指定装置１００は、静電容量方式のタッチパネルを採用しているため、多点検出が可能である。座標指定装置１００は、表示制御装置１に対して、無線（Ｂｌｕｔｏｏｔｈ等）または有線（ＵＳＢ、universal serial bus等）による通信を介して、指との接触点に応じた座標値を送信する。また、静電容量方式であるため、多点検出が可能である。なお、以下では、座標指定装置１００と指との接触点を、指が座標指定装置１００に接触した順に、接触点１、接触点２、・・・、接触点７と称することにする。
【００３９】
また、表示制御装置１および座標指定装置１００の外観は図２に示されている通りである。
【００４０】
以下では、表示制御装置１の構成について説明する。
【００４１】
表示制御装置１は、図１に示すように、制御部２、記憶部３、および表示部４を備えている。
【００４２】
（制御部２）
制御部２は、表示制御装置１を統括して制御する。制御部２は、座標情報取得部１０、処理判定部１１、押下キー判定部２０、キーボード画像処理部２１、押下キー表示制御部２２、キー入力イベント発行部２３、差分抽出部３０、マウス移動イベント発行部３１、マウスクリックイベント発行部３２、複数座標差分抽出部４０、方向判定部４１、ジェスチャーイベント発行部４２、および、キーボード位置表示制御部５１を備えている。
【００４３】
座標情報取得部１０は、座標指定装置１００から、座標指定装置１００によって検出されている各接触点の座標値を示す情報である接触位置情報６０の受信を待ち受ける。接触位置情報６０は、座標指定装置１００が、新たな指の接触を検出した場合、接触している指の移動を検出した場合、または、接触点からの指のリリースを検出した場合に、座標指定装置１００から表示制御装置１に送信される。
【００４４】
処理判定部１１は、接触位置情報６０が表す接触点数および各接触点の位置に基づいて、文字の入力イベントを発行するか、マウスイベントを発行するか、ジェスチャーイベントを発行するか、ホームポジション確認用のキーボード画像を表示するか、あるいは、接触点数が０になるまでイベントを発行しないと決定するか、のいずれかの処理を行う。
【００４５】
押下キー判定部２０は、キーボード位置テーブル６１に基づいて、接触位置情報６０によって示されている接触点からの指のリリースを、どの文字の入力イベントとして認識すべきかを判定する。キーボード位置テーブル６１は、表示制御装置１に入力可能な各文字について、対象文字と、接触点からの指のリリースを検出したときに対象文字の入力イベントを発行すべき接触点の座標範囲を示す座標情報（例えば、座標範囲の左上端座標および右下端座標を含む座標情報）とを対応付けたテーブルである。なお、本実施形態では、各文字の座標情報は、対象文字を模したキーが印刷されている範囲と一致するような座標範囲を示している。例えば文字「Ｍ」の座標情報は、「Ｍ」キーが印刷されている座標範囲を示している。
【００４６】
キーボード画像処理部２１は、押下キー判定部２０が入力イベントとして認識すべきであると判定した文字の操作キーの像と隣接する各操作キーの像とを含むような１つ以上の部分キーボード画像データを、キーボード画像データ６２から抽出する。キーボード画像データ６２は、座標指定装置１００のタッチパネルに絵柄が印刷されているキーボードと同様のキーボードを模したキーボード画像を示している。
【００４７】
押下キー表示制御部２２は、１つ以上の部分キーボード画像データを用いて生成した画像を表示部４に表示する。
【００４８】
キー入力イベント発行部２３は、タッチパネル上の操作キーを模した部分に位置する接触点（接触点１〜３のいずれかの接触点）から指が離れたことを検出すると、その操作キーに対応する文字の入力イベントを発行する。
【００４９】
差分抽出部３０は、接触点５の座標値が入力されると、その直前に入力された接触点５の座標値との差分に基づいて、接触点５の座標値の変化量（すなわち、接触点５の移動量および移動方向）を検出し、入力された接触点５の座標値と接触点５の座標値の変化量とを出力する。
【００５０】
マウス移動イベント発行部３１は、変化量が０である場合には接触点５の座標値を出力し、変化量が０でない場合には変化量に応じたマウス移動イベントを発行する。
【００５１】
マウスクリックイベント発行部３２は、入力された接触点５の座標値に応じた位置のマウスクリックイベントを発行する。
【００５２】
複数座標差分抽出部４０は、接触点５および接触点６の座標値が入力されると、その直前に入力された接触点５および接触点６の座標値との差分に基づいて、接触点５および６の各座標値の変化量（すなわち、接触点５および６の移動量および移動方向）を検出し、接触点５および接触点６の各座標値の変化量を出力する。
【００５３】
方向判定部４１は、各座標値の変化量から、接触点５の移動方向と接触点６の移動方向とが同一方向であるか、互いに逆方向であるかを判定する。方向判定部４１は、接触点５の移動方向と接触点６の移動方向とが互いに逆方向であると判定した場合には、さらに、接触点５と接触点６との距離が短くなったか長くなったかを判定する。
【００５４】
ジェスチャーイベント発行部４２は、方向判定部４１による判定結果に応じたジェスチャーイベントを発行する。具体的には、接触点５の移動方向と接触点６の移動方向とが同一方向であるという判定結果が得られた場合には、移動方向と同一方向のスクロールイベントを発行する。また、接触点５の移動方向と接触点６の移動方向とが互いに逆方向であるという判定結果が得られた場合には、ピンチイベント（拡大イベントまたは縮小イベント）を発行する。
【００５５】
キーボード位置表示制御部５１は、キーボード位置テーブル６１に基づいて、接触位置情報６０によって示されている各接触点の座標値に対応する文字を特定する。そして、特定した各文字の操作キーの像とその他の各操作キーの像とが異なる態様で示された、ホームポジション確認用のキーボード画像を、キーボード画像データ６２を用いて生成し、表示部４に表示する。
【００５６】
（記憶部３）
上記記憶部３は、接触位置情報６０、キーボード位置テーブル６１、キーボード画像データ６２を記憶する記憶媒体である。
【００５７】
（表示部４）
上記表示部４は、制御部２によって生成される画像が表示するディスプレイである。
【００５８】
（接触点数が１点以上３点以下である場合の表示制御システムの動作）
次に、図３（ａ）に示したように、ユーザが１本以上３本以下の指をタッチパネルに接触させる場合の表示制御システムの動作について図１２のシーケンス図を主に参照しながら説明する。
【００５９】
最初に、座標指定装置１００は、ＬＥＤ（図示せず）をオンにする（Ｓ１）。
【００６０】
ユーザが１本の指を座標指定装置１００に接触させると、座標指定装置１００は、１点の接触点を検出し（Ｓ２）、接触点１の座標値を接触位置情報６０として表示制御装置１に送信する（Ｍ１）。座標情報取得部１０は、取得した接触位置情報６０を記憶部３に記録する（既に接触位置情報６０が記録済みの場合には、取得した接触位置情報６０を用いて、記憶部３に記録されている既存の接触位置情報６０を接触点毎に更新する）。
【００６１】
次に、処理判定部１１は、記憶部３の接触位置情報６０に基づいて、接触点が１点以上３点以下であると判定し、この判定結果に基づいて接触位置情報６０を押下キー判定部２０に供給する。
【００６２】
押下キー判定部２０は、接触点１の座標値に対応するキーを判定する（Ｓ３）。具体的には、キーボード位置テーブル６１を参照し、どの文字に対応する座標範囲に接触点１の座標値が含まれているかを特定し、特定した文字のキーを、接触点１の座標値に対応するキーと判定する。例えば、接触点１の座標値がタッチパネル上の「Ｍ」キーを模した部分を示すものであった場合、「Ｍ」キーが接触点１の座標値に対応するキーであると判定する。なお、押下キー判定部２０は、接触点２、３の座標値に対応するキーを判定するときも同様の方法によりキーを判定する。
【００６３】
Ｓ３の後、押下キー判定部２０は判定したキーを示す情報をキーボード画像処理部２１に出力する。キーボード画像処理部２１は、記憶部３のキーボード画像データ６２を読み出し、キーボード画像データ６２の一部を抽出した部分キーボード画像データを生成する。
【００６４】
具体的には、キーボード画像処理部２１は、読み出したキーボード画像データ６２の接触点１に対応するキーの像を色１（例えば緑色）で着色する（Ｓ４）。そして、キーボード画像処理部２１は、接触点が１点である場合には、接触点１の座標値が表す座標を中心に一定領域をキーボード画像から切り出すことで部分キーボード画像データを生成する。例えば、接触点１の座標値が表す座標が「Ｍ」キー内の左下端付近であった場合には、「Ｍ」キーの像の左下端付近が中心となるような部分キーボード画像データを生成してもよい。なお、Ｓ４でキーの像を着色するのは、キーボード画像から一定領域を切り出した後であってもよい。また、キーボード位置テーブル６１を参照し、接触点１の座標値が属する座標範囲に対応するキーの像の中心を中心とする一定領域をキーボード画像から切り出すことで、部分キーボード画像データを生成してもよい。
【００６５】
Ｓ４の後、押下キー表示制御部２２は、キーボード画像処理部２１から取得した部分キーボード画像データが表す画像（部分キーボード画像）を表示部４の表示領域の下方に位置する押下キー表示エリア８０の符号８１で示された領域に表示する（Ｓ５）。その結果、図５（ａ）のような画像が表示されることになる。
【００６６】
その後、ユーザが接触中の１本の指をタッチパネル上で移動させると（例えば、図８（ｂ）に示した位置から図８（ｄ）に示した位置に指を移動させると）、座標指定装置１００は、接触点１の移動を検出し（Ｓ６）、移動後の接触点１の座標値を接触位置情報６０として表示制御装置１に送信する（Ｍ２）。
【００６７】
新たな接触位置情報６０を受信した表示制御装置１はＳ３〜Ｓ５の処理を行う。すなわち、表示制御装置１は、接触点１の座標値に対応するキーの変更を検出した場合には、部分キーボード画像データを更新し、表示中の部分キーボード画像を更新する（Ｓ７）。表示制御装置１は、例えば、表示中の図８（ａ）の画像を図８（ｄ）の画像に更新する。
【００６８】
その後、ユーザが２本目および３本目の指をタッチパネルに接触させると、座標指定装置１００は、接触点２、３の座標値を接触位置情報６０として表示制御装置１に送信する（Ｍ３）。座標情報取得部１０は、取得した接触位置情報６０を用いて既存の接触位置情報６０を接触点毎に更新する。その結果、記憶部３の接触位置情報６０は、接触点１〜接触点３の各座標値を示す接触位置情報６０に更新されることになる。
【００６９】
次に、処理判定部１１は、記憶部３の接触位置情報６０に基づいて、接触点が１点以上３点以下であると判定し、この判定結果に基づいて接触位置情報６０を押下キー判定部２０に供給する。
【００７０】
押下キー判定部２０は、接触点２および接触点３の座標値に対応するキーを判定し（Ｓ９）、キーボード画像処理部２１は、読み出したキーボード画像データ６２の接触点２、３に対応するキーの像をそれぞれ色２（例えば青）、色３（例えば紫）で着色する（Ｓ１０）。なお、色１〜色３は互いに相異なる色であればいかなる色でもよい。さらに、キーボード画像処理部２１は、接触点が３点である場合には、各接触点の他の接触点との距離（接触点１と接触点２との間の距離、接触点２と接触点３との間の距離、接触点１と接触点３との間の距離）を算出する。なお、キーボード画像処理部２１は、接触点が２点である場合にも同様の処理を行う。
【００７１】
キーボード画像処理部２１は、いずれかの距離が所定の閾値以上である場合には、接触点２および接触点３の各接触点について、その接触点の座標値が表す座標を中心とする一定領域をキーボード画像から切り出すことで、２つの部分キーボード画像データを生成する。一方、いずれの距離も所定の閾値未満である場合には、接触点１〜接触点３の各接触点に対応するキーを含む１枚の画像をキーボード画像から切り出すことで、ただ１つの部分キーボード画像データを生成する。
【００７２】
押下キー表示制御部２２は、キーボード画像処理部２１から取得した部分キーボード画像データが表す画像を表示部４の表示領域の下方に位置する押下キー表示エリア８０に表示する（Ｓ１１）。
【００７３】
具体的には、キーボード画像処理部２１から３つの部分キーボード画像データを取得した場合には、接触点１〜３について、それぞれ、対応する各部分キーボード画像データの画像を、符号８１で示した領域、符号８２で示した領域、符号８３で示した領域に表示する。その結果、図５（ｃ）に示したような画像（接触点が２点である場合には図５（ｂ）に示したような画像）が表示されることになる。なお、キーボード画像処理部２１からただ１つの部分キーボード画像データを取得した場合には、部分キーボード画像を押下キー表示エリア８０に表示する。この場合には、図６に示したような画像が表示されることになる。
【００７４】
その後、ユーザが３本の指をタッチパネルから離すと、座標指定装置１００は、接触点１〜３の各接触点について接触点からの指のリリースを検出する（Ｓ１２）。そして、座標指定装置１００は、接触点からの指のリリースを検出した順に、その接触点の座標値としてヌル値を含む接触位置情報６０を表示制御装置１に送信する（Ｍ４）。例えば、ユーザが接触点２、１、３の順に接触点から指をリリースした場合、座標指定装置１００は、接触点３の座標値としてヌル値を含む接触位置情報６０を最後に送信する。接触点の座標値としてヌル値を含むことは、その接触点から指がリリースされたことを示している。
【００７５】
その後、文字入力イベント発行部２３は、記憶部３の接触位置情報６０の更新を検出し、さらに、更新後の接触位置情報６０がヌル値を含むことを確認すると、更新後の接触位置情報６０で座標値がヌル値になっている接触点の更新前の接触位置情報６０における座標値を特定する。そして、文字入力イベント発行部２３は、キーボード位置テーブル６１に基づいて、その座標値に対応する文字を特定し、特定した文字の入力イベントを発行する。その結果、文字入力イベント発行部２３は、指がリリースされた順に従って、各接触点に対応する文字の入力イベントを発行することになる。さらに、文字入力イベント発行部２３は、各文字を表示部４の符号７０で示された領域に表示する（Ｓ１３）。文字入力イベント発行部２３は、上記の例では、接触点２に対応する文字の入力イベントを発行し、接触点１に対応する文字の入力イベントを発行し、最後に接触点３に対応する文字の入力イベントを発行する。そして、処理判定部１１は、記憶部３に記録されている接触位置情報６０の接触点１〜接触点３の値がすべてヌル値になったことを検出すると、図８（ｅ）に示したように、表示中の部分キーボード画像データが表す画像を押下キー表示エリア８０から消去するとともに、記憶部３の接触位置情報６０を消去する。
【００７６】
以上の処理により、図４に示したように、表示部４の符号７０に、入力された文字列が表示されることになる。
【００７７】
なお、キーボード画像処理部２１が、接触点１の座標値が表す座標があるキー内の左下端付近であった場合にそのキーの像の左下端が中心となるような部分キーボード画像を生成することには、以下のようなメリットがある。
【００７８】
すなわち、ユーザは、座標入力装置が鞄の中に仕舞って手探りで操作しているときに、単にタッチパネル上のどのキーに相当する部分に指を接触させているかだけでなく、キーのどの付近に指を接触させているかをも把握することができる。また、ユーザが接触中の指を移動させると、その指の移動に追従して、移動後の接触点の座標値が表す座標を中心とする部分キーボード画像に表示中の部分キーボード画像をリアルタイムに更新することになる。したがって、ユーザは、入力を所望するキーとは異なるキーの部分に指を接触させている場合に、容易に所望のキーの部分に指を移動させることができる。
【００７９】
（接触点数が４点以上５点以下である場合の表示制御システムの動作）
次に、図３（ｂ）に示したように、ユーザが４本以上５本以下の指をタッチパネルに接触させる場合の表示制御システムの動作について図１３のシーケンス図を主に参照しながら説明する。
【００８０】
最初に、座標指定装置１００は、ＬＥＤをオンにする（Ｓ２１）。
【００８１】
ユーザが４本の指を座標指定装置１００に接触させると、座標指定装置１００は、４点の接触点を検出し（Ｓ２２）、接触点１〜４の各座標値を接触位置情報６０として表示制御装置１に送信する（Ｍ１１）。座標情報取得部１０は、取得した接触位置情報６０を記憶部３に記録する（既に接触位置情報６０が記録済みの場合には、取得した接触位置情報６０を用いて既存の接触位置情報６０を接触点毎に更新する）。
【００８２】
次に、処理判定部１１は、記憶部３の接触位置情報６０に基づいて、接触点が４点であると判定し、さらに、各座標値の水平座標値を参照して、４点の接触点がすべてパネルの左半分または右半分に偏っているか否かを判定する（Ｓ２３）。処理判定部１１は、パネルの左半分または右半分に偏っていないと判定した場合、４点の各接触点について、接触点の座標値をヌル値として含む接触位置情報６０を取得するまで、後段には何も出力しない（すなわち、いずれの入力イベントも発行させない）ことを決定する。また、表示制御装置１は、部分キーボード画像データが表す画像が表示されている場合には、図９（ａ）に示したように、画像を押下キー表示エリア８０から消去する。
【００８３】
一方、処理判定部１１は、パネルの左半分または右半分に偏っていると判定した場合（すなわち、４つの水平座標値がすべて水平座標値の上限値の２分の１以上である場合、または、４つの水平座標値がすべて水平座標値の上限値の２分の１未満である場合）、パネルの残り半分の領域をタッチ入力エリアとして設定する（Ｓ２４）。ここで、タッチ入力エリアとは、タッチパネル中の、トラックパッドとして機能するエリアのことである。
【００８４】
Ｓ２４の後、処理判定部１１は、ＬＥＤをオフにする旨の指示を座標指定装置１００に送信し（Ｍ１２）、接触点数が５点であることを示す接触位置情報を取得するまで待機する。
【００８５】
Ｍ１２の後、座標指定装置１００は、ＬＥＤを消灯することで、キー表示をオフにする（Ｓ２５）。
【００８６】
Ｓ２５の後、図９（ｂ）に示すようにユーザが５本目の指をタッチパネルに接触させると、座標指定装置１００は、５点目の接触点を検出し（Ｓ２６）、接触点５の座標値を接触位置情報６０として表示制御装置１に送信する（Ｍ１３）。座標情報取得部１０は、取得した接触位置情報６０を用いて既存の接触位置情報６０を接触点毎に更新する。その結果、記憶部３の接触位置情報６０は、接触点１〜接触点５の各座標値を示す接触位置情報６０に更新されることになる。
【００８７】
Ｍ１３の後、処理判定部１１は、記憶部の接触位置情報６０を参照し、接触点５の座標値がタッチ入力エリアにあるか否かを判定する（Ｓ２７）。タッチ入力エリアにないと判定した場合には、接触点数が５点であることを示す接触位置情報６０を次に取得するまで待機する。
【００８８】
一方、処理判定部１１は、接触点５の座標値がタッチ入力エリアにあると判定した場合には、接触点５の座標値を差分抽出部３０に供給し、差分抽出部３０は、基準座標値Ａが記憶部３に記録されていない場合には、接触点５の座標値を基準座標値Ａとして記録時刻と関連付けて記憶部３に記録し（Ｓ２８）、次に接触点５の座標値を受け付けるまで待機する。
【００８９】
その後、図９（ｄ）に示したようにユーザが接触中の５本目の指をタッチパネル上で移動させると（例えば、図８（ｂ）に示した位置から図８（ｄ）に示した位置に指を移動させると）、座標指定装置１００は、接触点１の移動を検出し（Ｓ２９）、移動後の接触点５の座標値を接触位置情報６０として表示制御装置１に送信する（Ｍ１４）。
【００９０】
処理判定部１１は、座標情報取得部１０が取得した接触点５の座標値を差分抽出部３０に供給する。接触点５の座標値を受け取った差分抽出部３０は、基準座標値Ａが記憶部３に記録されている場合には、処理判定部１１から受け取った接触点５の座標値を基準座標値Ａと比較し、基準座標値Ａと処理判定部１１から受け取った接触点５の座標値とを比較して、接触点５の座標値と、基準座標値Ａとの差分値（水平差分値および垂直差分値）を抽出する（Ｓ３０）。
【００９１】
その後、差分抽出部３０は、処理判定部１１から受け取った接触点５の座標値と抽出した差分値とをマウス移動イベント発行部３１に供給するとともに、処理判定部１１から受け取った接触点５の座標値を新たな基準座標値Ａとして記録時刻と関連付けて記憶部３に記録する。
【００９２】
差分値と接触点５の座標値とを受け取ったマウス移動イベント発行部３１は、水平差分値および垂直差分値の双方が０であるか、少なくとも一方が０でないか、を判定する。そして、マウス移動イベント発行部３１は、水平差分値および垂直差分値の少なくとも一方が０でないと判定した場合には、接触点５の座標値の位置に対するマウス移動イベントを発行し、図９（ｃ）に示すように表示中のマウスカーソルをその位置に移動させる（Ｓ３１）。
【００９３】
ユーザが５本目の指をタッチパネルから離すと、座標指定装置１００は、接触点５からの指のリリースを検出する（Ｓ３２）。そして、座標指定装置１００は、接触点５の座標値としてヌル値を含む接触位置情報６０を表示制御装置１に送信する（Ｍ１５）。
【００９４】
処理判定部１１は、座標情報取得部１０が取得したヌル値を差分抽出部３０に供給し、差分抽出部３０およびマウス移動イベント発行部３１は、前段から受け取った接触点５のヌル値を後段にスルーする。
【００９５】
マウスクリックイベント発行部３２は、マウス移動イベント発行部３１からヌル値を受け取ると、受け取った時刻と、基準座標値Ａの記録時刻との時間差が所定の時間以上であるか否かを判定し、所定の時間未満であると判定した場合に、基準座標値Ａの位置に対するマウスクリックイベントを発行する（Ｓ３３）。そして、マウスクリックイベント発行部３２は、表示部４に、マウスクリックに応じた表示制御を行う。
【００９６】
その後、ユーザが残り４本の指をタッチパネルから離すと、座標指定装置１００は、接触点１〜４の各接触点について接触点からの指のリリースを検出する（Ｓ３４）。そして、座標指定装置１００は、接触点の指のリリースを検出した順に、接触点の座標値としてヌル値を含む接触位置情報６０を表示制御装置１に送信する（Ｍ１６）。座標情報取得部１０は、取得した接触位置情報６０を用いて既存の接触位置情報６０を接触点毎に更新する。
【００９７】
処理判定部１１は、記憶部３に記録されている接触位置情報６０の接触点１〜接触点４の値がすべてヌル値になったことを検出すると、タッチ入力エリアの設定を解除し（Ｓ３５）、ＬＥＤをオンにすべき旨の指示を座標指定装置１００に送信する（Ｍ１７）。また、処理判定部１１は、基準座標値Ａを記憶部３から消去する。
【００９８】
Ｍ１７の後、座標指定装置１００は、ＬＥＤを点灯させることによりキー表示をオンにし（Ｓ３６）、処理を終了する。
【００９９】
以上のように、表示制御装置１は、処理判定部１１が５点（特許請求の範囲の「第１の個数」に対応）の接触点を検出している間は、文字の入力イベントではなくマウスイベントを発行するように構成されている。
【０１００】
（接触点数が６点である場合の表示制御システムの動作）
次に、ユーザが６本の指をタッチパネルに接触させる場合の表示制御システムの動作について図１４のシーケンス図を主に参照しながら説明する。
【０１０１】
なお、Ｓ４１〜Ｓ４５、Ｍ２１、Ｍ２２の処理は、それぞれ、Ｓ２１〜Ｓ２５、Ｍ１１，Ｍ１２の処理と同様であるので説明を省略する。
【０１０２】
Ｓ４５の後、ユーザが５本目の指と６本目の指とをタッチパネルに接触させると、座標指定装置１００は、５点目および６点目の接触点を検出し（Ｓ４６）、接触点５および接触点６の各座標値を接触位置情報６０として表示制御装置１に送信する（Ｍ２３）。座標情報取得部１０は、取得した接触位置情報６０を用いて既存の接触位置情報６０を接触点毎に更新する。その結果、記憶部３の接触位置情報６０は、接触点１〜接触点６の各座標値を示す接触位置情報６０に更新されることになる。
【０１０３】
Ｍ２３の後、処理判定部１１は、記憶部の接触位置情報６０を参照し、接触点５および接触点６の座標値が共にタッチ入力エリアにあるか否かを判定する（Ｓ４７）。一方または両方の座標値がタッチ入力エリアにないと判定した場合には、接触点数が６点であることを示す接触位置情報６０を次に取得するまで待機する。
【０１０４】
一方、処理判定部１１は、接触点５および接触点６の座標値が共にタッチ入力エリアにあると判定した場合には、接触点５および接触点６の座標値を複数座標差分抽出部４０に供給し、複数座標差分抽出部４０は、基準座標値Ｂおよび基準座標値Ｃが記憶部３に記録されていない場合には、接触点５および接触点６の座標値を、それぞれ、基準座標値Ｂおよび基準座標値Ｃとして記憶部３に記録し（Ｓ４８）、接触点５および接触点６の座標値を次に取得するまで待機する。
【０１０５】
その後、ユーザが接触中の５本目および６本目の指をタッチパネル上で移動させると、座標指定装置１００は、接触点５および接触点６の移動を検出し（Ｓ４９）、移動後の接触点５および接触点６の座標値を接触位置情報６０として表示制御装置１に送信する（Ｍ２４）。
【０１０６】
処理判定部１１は、座標情報取得部１０が取得した接触点５および接触点６の座標値を複数座標差分抽出部４０に供給する。複数座標差分抽出部４０は、基準座標値Ｂおよび基準座標値Ｃが記憶部３に記録されている場合には、処理判定部１１から受け取った接触点５の座標値を基準座標値Ｂと比較し、基準座標値Ｂと処理判定部１１から受け取った接触点５の座標値とを比較して、接触点５の座標値と、基準座標値Ｂと、の差分値（差分ベクトル）を抽出する（Ｓ５０）。同様に、複数座標差分抽出部４０は、処理判定部１１から受け取った接触点６の座標値を基準座標値Ｃと比較し、基準座標値Ｃと処理判定部１１から受け取った接触点６の座標値とを比較して、接触点６の座標値と、基準座標値Ｃと、の差分値（差分ベクトル）を抽出する。
【０１０７】
その後、複数座標差分抽出部４０は、処理判定部１１から受け取った接触点５および接触点６の座標値と抽出した２つの差分値とを方向判定部４１に供給するとともに、処理判定部１１から受け取った接触点５および接触点６の座標値を、それぞれ、新たな基準座標値Ｂおよび基準座標値Ｃとして記憶部３に記録する。
【０１０８】
方向判定部４１は、２つの差分ベクトルの方向が同一方向を向いているか逆方向を向いているかを判定する（Ｓ５１）。
【０１０９】
方向判定部４１は、２つ差分ベクトルの方向が同一方向を向いていると判定した場合には、差分ベクトルの方向に沿って差分ベクトルの大きさに応じた量だけスクロールさせるスクロールイベントを発行するようジェスチャーイベント発行部４２に要求する。ジェスチャーイベント発行部４２は、要求されたスクロールイベントを発行し、スクロール後の映像を表示部４に表示する（Ｓ５２）。
【０１１０】
一方、方向判定部４１は、逆方向を向いていると判定した場合には、接触点５および接触点６の座標値と抽出した２つの差分ベクトルとに基づいて、接触点５と接触点６との間の距離が短くなったか長くなったかを判定する（Ｓ５３）。
【０１１１】
方向判定部４１は、接触点５と接触点６との間の距離が短くなったと判定した場合には、２つの差分ベクトルの大きさに応じた倍率に表示倍率を縮小させる縮小イベント（ピンチイベント）を発行するようジェスチャーイベント発行部４２に要求する。ジェスチャーイベント発行部４２は、要求された縮小イベントを発行し、縮小後の表示倍率の映像を表示部４に表示する（Ｓ５４）。
【０１１２】
また、方向判定部４１は、接触点５と接触点６との間の距離が長くなったと判定した場合には、２つの差分ベクトルの大きさに応じた倍率に表示倍率を拡大させる拡大イベント（ピンチイベント）を発行するようジェスチャーイベント発行部４２に要求する。ジェスチャーイベント発行部４２は、要求された拡大イベントを発行し、拡大後の表示倍率の映像を表示部４に表示する（Ｓ５４）。
【０１１３】
その後、ユーザが６本の指をタッチパネルから離すと、座標指定装置１００は、接触点１〜６の各接触点について接触点からの指のリリースを検出する（Ｓ５５）。そして、座標指定装置１００は、接触点の指のリリースを検出した順に、接触点の座標値としてヌル値を含む接触位置情報６０を表示制御装置１に送信する（Ｍ２５）。座標情報取得部１０は、取得した接触位置情報６０を用いて既存の接触位置情報６０を接触点毎に更新する。
【０１１４】
処理判定部１１は、記憶部３に記録されている接触位置情報６０の接触点１〜接触点６の値がすべてヌル値になったことを検出すると、タッチ入力エリアの設定を解除し（Ｓ５６）、ＬＥＤをオンにすべき旨の指示を座標指定装置１００に送信する（Ｍ２６）。
【０１１５】
Ｍ２６の後、座標指定装置１００は、ＬＥＤを点灯させることによりキー表示をオンにし（Ｓ５７）、処理を終了する。
【０１１６】
（接触点数が７点である場合の表示制御システムの動作）
次に、ユーザが７本の指をタッチパネルに接触させる場合の表示制御システムの動作について以下に説明する。
【０１１７】
ユーザが７本の指を座標指定装置１００に接触させると、座標指定装置１００は、７点の接触点を検出し（Ｓ２２）、接触点１〜７の各座標値を接触位置情報６０として表示制御装置１に送信する（Ｍ１１）。座標情報取得部１０は、取得した接触位置情報６０を記憶部３に記録する（既に接触位置情報６０が記録済みの場合には、取得した接触位置情報６０を用いて既存の接触位置情報６０を接触点毎に更新する）。
【０１１８】
次に、処理判定部１１は、記憶部３の接触位置情報６０に基づいて、接触点が７点であると判定し、判定結果に基づいて、記憶部３の接触位置情報６０をキーボード位置表示制御部５１に供給する。
【０１１９】
キーボード位置表示制御部５１は、押下キー判定部２０と同様の方法で、接触点１〜７の各接触点について、接触点に対応するキーを特定する。そして、キーボード位置表示制御部５１は、記憶部３のキーボード画像データ６２から、ホームポジション確認用画像データを生成し、ホームポジション確認用画像データが表すキーボード画像を表示部４に表示する。具体的には、キーボード位置表示制御部５１は、特定した各キーの像に所定の印が付されており、その他のキーの像には所定の印が付されていないようなキーボード画像を示すホームポジション確認用画像データを生成する。なお、図１１に、表示部４に表示されるキーボード画像を示しておく。
【０１２０】
その後、ユーザが７本の指をタッチパネルから離すと、座標指定装置１００は、接触点１〜７の各接触点について接触点からの指のリリースを検出する。そして、座標指定装置１００は、接触点の指のリリースを検出した順に、接触点の座標値としてヌル値を含む接触位置情報６０を表示制御装置１に送信する。座標情報取得部１０は、取得した接触位置情報６０を用いて既存の接触位置情報６０を接触点毎に更新する。
【０１２１】
処理判定部１１は、記憶部３に記録されている接触位置情報６０の接触点１〜接触点７の値がすべてヌル値になったことを検出すると、タッチ入力エリアの設定を解除し、ＬＥＤをオンにすべき旨の指示を座標指定装置１００に送信する。
【０１２２】
座標指定装置１００は、ＬＥＤを点灯させることによりキー表示をオンにし、処理を終了する。
【０１２３】
（表示制御装置１の利点）
以上のように、表示制御装置１では、座標情報取得部１０が、外部の座標指定装置１００から、座標指定装置１００のタッチパネル面に接触した３本の指について各接触点（接触点１〜３）の位置に応じた３つの座標値の受信を待ち受ける。
【０１２４】
そして、押下キー表示制御部２２は、座標情報取得部１０が３つの座標値を受信すると、キーボード画像の一部を表す画像であって３つの座標値に応じた画像（特許請求の範囲の「部分画像」に対応）を表示画面に表示する。
【０１２５】
さらに、キー入力イベント発行部２３は、文字の入力イベントを発行する。
【０１２６】
表示制御装置１の記憶部３には、表示制御装置１に入力可能な各文字について、接触点からの指のリリースの検出をトリガとしてキー入力イベント発行部２３が対象文字の入力イベントを発行すべき接触点の座標範囲を示す座標情報がキーボード位置テーブル６１の構成要素として記録されており、押下キー判定部２０は、キーボード位置テーブル６１を読み出す。
【０１２７】
押下キー判定部２０は、キーボード位置テーブル６１に基づいて、３つの座標値の各々について、座標値の属する座標範囲に対応する文字を特定し、押下キー表示制御部２２は、特定した文字の操作キーの像を含む画像（図５（ｃ）、図６等に示した画像）を、上記３つの座標値に応じた画像として表示する。
【０１２８】
上記の構成によれば、表示制御装置１は、ユーザが座標指定装置１００に３本の指を接触させた場合に、各指を接触点から離すことにより表示制御装置１に入力される文字列をユーザに認識させることができる。また、表示制御装置は、キーボード画像全体を表示しないため、表示画面の表示スペースをそれほど圧迫することなく、入力される文字列をユーザに認識させることができる。
【０１２９】
以上のように、表示制御装置１は、表示画面の表示スペースをそれほど圧迫することなく、座標指定装置１００を用いたユーザの文字入力をより効率的にすることが可能である。特に、表示制御装置１は、表示制御装置１がユーザの視界内にあり座標指定装置１００がユーザの鞄の中に仕舞ってある状態で、ユーザが手探りで文字入力を行う場合であっても、ユーザに効率的に文字入力をさせることができる。
【０１３０】
（付記事項１）
座標指定装置のタッチパネルには円状のスクロールキーを含むキーボードを模した絵柄が印刷され、表示制御装置には、図７に示したようなスクロールキー１１０を含むキーボードを模した画像のキーボード画像データが記憶部に記録されていてもよい。
【０１３１】
そして、表示制御装置は、変換候補を表示している間に、ユーザがスクロールキーを模した部分に指を接触させながら外周に沿って指を移動させると、表示制御装置は、選択中の変換候補を示すカーソルを他の変換候補に移動させる入力イベントを発行し、ジョグダイヤル１１０を模した画像をキーボード画像データから切り出して表示するように構成されていてもよい。
【０１３２】
また、ＳＨＩＦＴキー（シフトキー）やＦｎキー（ファンクションキー）に対応する位置にユーザが指を接触させた場合、表示制御装置は、接触を検出した時点で、接触点に対応するキーの入力イベントを発行するようにしてもよい。
【０１３３】
さらに、ＳＨＩＦＴキーやＦｎキーに対応する位置に指が接触したときには、このキーに対する接触状態において操作することにより所定のコマンドを発行することのできるキーおよびそのコマンドをユーザに提示してもよい。例えば、Ｃｔｒｌキー（コントロールキー）に対応する位置に指が接触したときに、「Ｃ」の文字キーを操作することによって、「コピー」コマンドが発行されることを示す画像を表示させてもよい。これにより、複数のキーの組み合わせによるコマンドをユーザに容易に認識させることができる。
【０１３４】
（付記事項２）
座標指定装置１００は、タッチパネルに接触した各指の接触点を検出する検出部（図示せず、特許請求の範囲の「検出手段」に対応）と、検出された接触点の位置に基づいて該接触点の座標値を生成する生成部（図示せず）と、生成した座標値を送信する発信部（図示せず、特許請求の範囲の「送信手段」に対応）に加え、キーボード位置テーブル６１が格納されている記憶部を備えていてもよい。
【０１３５】
そして、発信部は、座標値だけでなく、キーボード信号およびマウス信号を発信可能に構成されていてもよい。
【０１３６】
発信部は、検出部が３点以下の接触点を検出している場合には、押下キー判定部２０と同様の方法でキーボード位置テーブル６１に基づいて接触点の座標値に対応する文字を特定し、特定した文字のキー入力信号をホストＰＣ（例えば、一般的なパーソナルコンピュータ）に発信してもよい。また、発信部は、検出部が５点の接触点を検出している場合には、５点目の接触点の座標値に応じた位置にマウスカーソルを移動させるマウス移動信号、または、５点目の接触点の座標値に応じた位置でマウスをクリックするマウスクリック信号を発信してもよい。
【０１３７】
（付記事項３）
キーボード画像処理部２１は、押下キー判定部２０が入力イベントとして認識すべきであると判定した文字の操作キーの像のみを含む１つ以上の部分キーボード画像データを、キーボード画像データ６２から抽出してもよい。
【０１３８】
座標指定装置にはキーボードの絵柄が印刷されていなくてもよいが、座標指定装置１のようにキーボードの絵柄が印刷されていることが望ましい。
（本発明が解決するその他の課題について）
上記実施形態の説明から本発明は〔発明が解決しようとする課題〕に記載した課題とは異なる２つの課題を解決することができる。以下では、２つの課題の各々について、技術分野、背景技術および課題を解決するための手段とともに説明する。
【０１３９】
（課題１）
（技術分野）
本発明は、情報処理装置、情報処理方法および情報処理システムに関する。また、本発明は、そのような情報処理装置としてコンピュータを動作させる情報処理プログラム、および、そのような情報処理プログラムが記録されている記録媒体に関する。さらに、本発明は、ユーザが指定した位置に対応する座標値を外部の装置に出力する座標指定装置に関する。
【０１４０】
（背景技術）
今日では、パーソナルコンピュータ等の情報処理端末は日常の生活に欠かせないものとなっている。
【０１４１】
これまでに情報処理端末に文字を入力するための様々な技術が提案されている。
【０１４２】
そのような技術の一例が、特許文献１および特許文献２に開示されている。
【０１４３】
具体的には、特許文献１には、ユーザが手元のリモコンのキーを見なくてもディスプレイを見て自分の指の動きを視覚フィードバックによって確認しながら操作できるコンピュータが開示されている。特許文献２には、仮想キーボード上のタッチが生じた位置の周辺にある複数個のキーを拡大表示するタッチスクリーン装置が開示されている。
【０１４４】
また、パーソナルコンピュータに接続する外付けキーボードもこれまでに多数販売されており、外付けキーボードの中にはポインティングデバイスを内蔵しているものも多数存在する。
【０１４５】
（発明が解決しようとする課題）
しかしながら、ポインティングデバイスを内蔵している上記従来のキーボードは、高価になり易く、故障が生じやすいという欠点がある。上記従来のキーボードは、キーボードとしての物理的な機構とポインティングデバイスとしての物理的な機構との両方を備えているからである。
【０１４６】
本発明は、上記課題に鑑みて成されたものであり、その主な目的は、座標指定装置をポインティングデバイスとしてもキーボードとしても使用させることを可能にする情報処理装置を実現することにある。また、ポインティングデバイスとしてもキーボードとしても使用可能な座標指定装置を実現することも本発明の目的に含まれる。
【０１４７】
（課題を解決するための手段）
（課題を解決するための構成１）
本発明に係る情報処理装置は、上記課題を解決するために、外部の座標指定装置から、該座標指定装置に接触した各物体の接触点の位置に応じた複数の座標値の受信を待ち受ける待受手段（例えば、座標情報取得部１０）と、上記座標指定装置における接触点の個数を検出する第１検出手段（例えば、処理判定部１１）と、文字の入力イベントおよびマウスイベントを発行する発行手段と、を備え、上記発行手段（例えば、キー入力イベント発行部２３、マウス移動イベント発行部３１、マウスクリックイベント発行部３２、ジェスチャーイベント発行部４２）は、上記第１検出手段が第３の個数（例えば、３つ）以下の接触点を検出している場合には、上記複数の座標値の各々について該座標値に対応する文字の入力イベントを発行し、上記第１検出手段が第３の個数より多い第４の個数（例えば、５つ）の接触点を検出している場合には、上記待受手段が受信した座標値に応じた位置のマウスイベントを発行する、ことを特徴としている。
【０１４８】
上記の構成によれば、本発明に係る情報処理装置は、座標指定装置をポインティングデバイスとしてもキーボードとしても使用させることを可能にするという効果を奏する。
【０１４９】
また、本発明に係る、情報処理装置の情報処理方法は、上記課題を解決するために、外部の座標指定装置から、該座標指定装置に接触した各物体の接触点の位置に応じた複数の座標値の受信を待ち受ける待受工程と、上記座標指定装置における接触点の個数を検出する第１検出工程と、文字の入力イベントまたはマウスイベントを発行する発行工程と、を含み、上記第１検出工程にて第３の個数以下の接触点を検出している場合には上記発行工程にて上記複数の座標値の各々について該座標値に対応する文字の入力イベントを発行し、上記第１検出工程にて第３の個数より多い第４の個数の接触点を検出している場合には、上記発行工程にて、受信した座標値に応じた位置のマウスイベントを発行する、ことを特徴としている。
【０１５０】
上記の構成によれば、本発明に係る情報処理方法は、本発明に係る情報処理装置と同様の作用効果を奏する。
【０１５１】
（課題を解決するための構成２）
本発明に係る情報処理装置は、上記座標指定装置における各物体の接触点の移動を検出する第２検出手段（例えば、差分抽出部３０、マウス移動イベント発行部３１、方向判定部４１）を備え、上記第１検出手段が接触点を第４の個数だけ検出している間に上記第２検出手段が上記座標指定装置に直近で接触した物体の移動を検出した場合、上記発行手段は、該物体の移動量および移動方向に応じたマウスの移動イベントを発行する、ことを特徴とする、構成１に記載の情報処理装置として実現することが望ましい。
【０１５２】
（課題を解決するための構成３）
本発明に係る情報処理装置は、上記第１検出手段が接触点を第４の個数だけ検出している間に上記座標指定装置に直近で接触した物体の接触点からのリリースを検出した場合、上記発行手段は、該接触点に応じた座標値に基づいてクリックイベントを発行する、ことを特徴とする、構成１または構成２に記載の情報処理装置として実現することが望ましい。
【０１５３】
（課題を解決するための構成４）
本発明に係る情報処理装置は、上記第１検出手段が接触点を第４の個数より多い第５の個数（例えば、６つ）だけ検出している間に上記第２検出手段が直近で接触した複数の物体の移動を検出した場合に、上記発行手段（例えば、ジェスチャーイベント発行部４２）が、上記複数の物体の各々の移動量および移動方向に応じたジェスチャーイベントを発行する、ことを特徴とする構成２に記載の情報処理装置として実現することが望ましい。
【０１５４】
（課題を解決するための構成５）
本発明に係る情報処理装置は、上記第１検出手段が接触点を第４の個数より多い第５の個数だけ検出している間に上記第２検出手段が直近で接触した２つの物体の移動を検出した場合であって該２つの物体の移動方向が同一であることを検出した場合に、該移動方向のスクロールイベントを発行する、ことを特徴とする構成４に記載の情報処理装置として実現することが望ましい。
【０１５５】
（課題を解決するための構成６）
本発明に係る情報処理装置は、上記第１検出手段が接触点を第４の個数より多い第５の個数だけ検出している間に上記第２検出手段が直近で接触した２つの物体の移動を検出した場合であって該２つの物体の移動方向が互いに逆方向であることを検出した場合に、ピンチイベントを発行する、ことを特徴とする構成４または構成５に記載の情報処理装置として実現することが望ましい。
【０１５６】
（課題を解決するための構成７）
上記座標指定装置にはキーボードの絵柄が示されており、上記座標指定装置は、上記キーボードの絵柄に向けて光を照射する発光部（例えば、ＬＥＤ）を備えており、本発明に係る情報処理装置は、上記第１検出手段が検出している接触点の個数が第３の個数以下である間は上記発光部から光を照射し、上記第１検出手段が検出している接触点の個数が第３の個数より多い間は上記発光部から光を照射しないよう、上記座標指定装置を制御する発光制御手段をさらに備えている、ことを特徴とする、構成１から構成６のいずれか１項に記載の情報処理装置として実現することが望ましい。
【０１５７】
上記の構成によれば、本発明に係る情報処理装置は、ユーザがキーボードの絵柄の部分に光が照射されているか否かを確認するだけで座標指定装置がキーボードとして動作するのか否かを把握すること、を可能にするというさらなる効果を奏する。
【０１５８】
（課題を解決するための構成８）
本発明に係る座標指定装置は、上記課題を解決するために、自装置に接触した各物体の接触点を検出する検出手段と、検出された接触点の位置に基づいて該接触点の座標値を生成する生成手段と、キーボード信号およびマウス信号を発信する発信手段と、を備え、上記発信手段は、上記検出手段が第３の個数以下の接触点を検出している場合には、上記生成手段が生成した各座標値について該座標値に対応する接触点に対応する文字のキーボード信号を上記情報処理装置に発信し、上記検出手段が第３の個数より多い第４の個数の接触点を検出している場合には、上記検出手段が検出した接触点の座標値に応じたマウス信号を発信する、ことを特徴としている。
【０１５９】
上記の構成によれば、本発明に係る座標指定装置は、ユーザにポインティングデバイスとしてもキーボードとしても使用させることができるという効果を奏する。
【０１６０】
（課題を解決するための構成９）
本発明は、構成１から構成７のいずれかの構成に記載の情報処理装置としてコンピュータを動作させるプログラムであって、コンピュータを上記各手段として機能させるための情報処理プログラムとしても実現できる。また、本発明は、そのような情報処理プログラムが記録されているコンピュータ読み取り可能な記録媒体としても実現できる。さらに、本発明は、構成１から構成７のいずれかの構成に記載の情報処理装置と、座標指定装置と、を含む情報処理システムとしても実現できる。
【０１６１】
なお、本発明に係る情報処理装置は、パーソナルコンピュータやスマートフォン、タブレットＰＣ、ゲーム機器などといった様々な機器に幅広く適用することができる。また、本発明に係る座標指定装置は、パーソナルコンピュータやスマートフォン、タブレットＰＣ、ゲーム機器などを操作する入力デバイスとして利用することができる。
【０１６２】
（課題２）
（技術分野）
本発明は、キーボードを模した画像を表示画面に表示する表示制御装置、表示制御方法および表示制御システムに関する。また、本発明は、そのような表示制御装置としてコンピュータを動作させる表示制御プログラム、および、そのような表示制御プログラムが記録されている記録媒体に関する。
【０１６３】
（背景技術）
今日では、パーソナルコンピュータ等の情報処理端末は日常の生活に欠かせないものとなっている。
【０１６４】
これまでに情報処理端末に文字を入力するための様々な技術が提案されている。
【０１６５】
そのような技術の一例が、特許文献１および特許文献２に開示されている。
【０１６６】
具体的には、特許文献１には、ユーザが手元のリモコンのキーを見なくてもディスプレイを見て自分の指の動きを視覚フィードバックによって確認しながら操作できるコンピュータが開示されている。特許文献２には、仮想キーボード上のタッチが生じた位置の周辺にある複数個のキーを拡大表示するタッチスクリーン装置が開示されている。
【０１６７】
また、パーソナルコンピュータに接続する外付けキーボードもこれまでに多数販売されている。
【０１６８】
（発明が解決しようとする課題）
しかしながら、上記従来の外付けキーボードには、コンピュータに不慣れなユーザにとってはブラインドタッチによるタイピングが容易ではないという欠点がある。
【０１６９】
本発明は、上記課題に鑑みて成されたものであり、その主な目的は、座標指定装置を用いたブラインドタッチによる文字のタイピングを容易にする表示制御装置を実現することにある。
【０１７０】
（課題を解決するための手段）
（課題を解決するための構成１）
本発明に係る表示制御装置は、上記課題を解決するために、外部の座標指定装置から、該座標指定装置に接触した各物体の接触点の位置に応じた複数の座標値の受信を待ち受ける待受手段（例えば、座標情報取得部１０）と、上記複数の座標値の各々について該座標値に対応する文字を特定し、特定した各文字の操作キーの像とその他の各操作キーの像とが異なる態様で表示されるようにキーボード画像を表示する表示制御手段（例えば、キーボード位置表示制御部５１）と、を備えている、ことを特徴としている。
【０１７１】
上記の構成によれば、ユーザが外部の座標指定装置に複数の指を接触させた場合に、各指を接触点から離すことにより表示制御装置に入力される文字群をユーザに認識させることができる。また、本発明に係る表示制御装置は、座標指定装置に対する各指の接触位置に応じた各操作キーの像とその他の各操作キーの像とが異なる態様で表示されるようにキーボード画像を表示するので、座標指定装置における、キーボードのホームポジションに相当する位置と、座標指定装置に接触している各指の位置と、の関係をユーザに視覚的に把握させることができる。
【０１７２】
したがって、本発明に係る表示制御装置は、ユーザがホームポジションを起点として指を動かすこと、を容易にすることになる。
【０１７３】
これにより、本発明に係る表示制御装置は、座標指定装置を用いたブラインドタッチによる文字のタイピングを容易にするという効果を奏する。
【０１７４】
本発明に係る、表示制御装置の表示制御方法は、上記課題を解決するために、外部の座標指定装置から、該座標指定装置に接触した各物体の接触点の位置に応じた複数の座標値の受信を待ち受ける待受工程と、上記複数の座標値の各々について該座標値に対応する文字を特定し、特定した各文字の操作キーの像とその他の各操作キーの像とが異なる態様で表示されるようにキーボード画像を表示する表示制御工程と、を含んでいる、ことを特徴としている。
【０１７５】
上記の構成によれば、本発明に係る表示制御方法は、本発明に係る表示制御装置と同様の作用効果を奏する。
【０１７６】
（課題を解決するための構成２）
本発明に係る表示制御装置は、上記座標指定装置における接触点の個数を検出する第１検出手段をさらに備え、上記表示制御手段は、上記第１検出手段が第６の個数（例えば、７つまたは８つ）の接触点を検出している場合に限り、上記キーボード画像を表示する、ことを特徴とする、構成１に記載の表示制御装置として実現することが望ましい。
【０１７７】
上記の構成によれば、本発明に係る表示制御装置は、ユーザがホームポジションを確認したいと思って第６の個数と等しい本数の指を座標指定装置に接触させた場合に限り、キーボード画像を表示するので、無駄に表示画面の表示スペースを圧迫する機会を減らすというさらなる効果を奏する。
【０１７８】
（課題を解決するための構成３）
また、本発明に係る表示制御装置は、上記第１検出手段が座標値を第６の個数以下の所定の個数（例えば、第６の個数より少ない第３の個数）以上検出した場合には、上記発行手段は、上記第１検出手段が座標値を１つも検出しなくなるまで、上記入力イベントを発行しない、ことを特徴とする、構成２に記載の表示制御装置として実現することが望ましい。
【０１７９】
上記の構成によれば、本発明に係る表示制御装置は、第６の個数の接触点を検出してキーボード画像を表示した後は、１つも接触点を検出しなくなるまで文字の入力イベントを発行しない。すなわち、本発明に係る表示制御装置は、ユーザが、ユーザがホームポジションを確認したいと思って第６の個数と等しい本数の指を座標指定装置に接触させた後にすべての指を離しても、文字の入力イベントを発行しない。
【０１８０】
したがって、本発明に係る表示制御装置は、文字の入力を行うことなくホームポジションを確認したいユーザの意図通りの処理を行うことができるというさらなる効果を奏する。
【０１８１】
（課題を解決するための構成４）
本発明は、構成１から構成３のいずれかの構成に記載の表示制御装置としてコンピュータを動作させるプログラムであって、コンピュータを上記各手段として機能させるための表示制御プログラムとしても実現できる。また、本発明は、そのような表示制御プログラムが記録されているコンピュータ読み取り可能な記録媒体としても実現できる。さらに、本発明は、構成１から構成３のいずれかの構成に記載の表示制御装置と、座標指定装置と、を含む表示制御システムとしても実現できる。
【０１８２】
〔ソフトウェアによる実現例〕
最後に、表示制御装置１の各ブロック、特に制御部２は、集積回路（ＩＣチップ）上に形成された論理回路によってハードウェア的に実現してもよいし、ＣＰＵ（Central Processing Unit）を用いてソフトウェア的に実現してもよい。
【０１８３】
後者の場合、表示制御装置１は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである表示制御装置１の制御プログラムのプログラムコード（実行形式プログラム、中間コードプログラム、ソースプログラム）をコンピュータで読み取り可能に記録した記録媒体を、上記表示制御装置１に供給し、そのコンピュータ（またはＣＰＵやＭＰＵ）が記録媒体に記録されているプログラムコードを読み出し実行することによっても、達成可能である。
【０１８４】
上記記録媒体としては、一時的でない有形の媒体（non-transitory tangible medium）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０１８５】
また、表示制御装置１を通信ネットワークと接続可能に構成し、上記プログラムコードを、通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１８６】
本発明に係る表示制御装置は、パーソナルコンピュータやスマートフォン、タブレットＰＣ、ゲーム機器などといった様々な機器に幅広く適用することができる。
【符号の説明】
【０１８７】
１          表示制御装置
２            制御部
３            記憶部
４            表示部
１０            座標情報取得部（待受手段）
１１            処理判定部（第１検出手段）
２０            押下キー判定部（表示制御手段）
２１            キーボード画像処理部（表示制御手段）
２２            押下キー表示制御部（表示制御手段）
２３            キー入力イベント発行部（発行手段）
３０            差分抽出部
３１            マウス移動イベント発行部（発行手段）
３２            マウスクリックイベント発行部（発行手段）
４０            複数座標差分抽出部
４１            方向判定部
４２            ジェスチャーイベント発行部
５１            キーボード位置表示制御部（表示制御手段）
１００      座標指定装置
【図１】
2014011589.tif 000003
【図２】
2014011589.tif 000004
【図３】
2014011589.tif 000005
【図４】
2014011589.tif 000006
【図５】
2014011589.tif 000007
【図６】
2014011589.tif 000008
【図７】
2014011589.tif 000009
【図８】
2014011589.tif 000010
【図９】
2014011589.tif 000011
【図１０】
2014011589.tif 000012
【図１１】
2014011589.tif 000013
【図１２】
2014011589.tif 000014
【図１３】
2014011589.tif 000015
【図１４】
2014011589.tif 000016